(57)【要約】      （修正有）【課題】移動通信網と無線ＬＡＮとの間で待ち受け先又は接続先を切り替える切替処理を行う無線端末及び方法を提供する。【解決手段】方法は、無線端末の移動状態が所定閾値よりも遅い速度で移動している第１状態であると判定するとＳ２０ＹＥＳ、待ち受け先又は接続先を、移動通信網から無線ＬＡＮに切り替える第１切替処理を行う条件が、第１期間に亘って満たされた場合にＳ２１ＹＥＳ、第１切替処理を実行しＳ２３、無線端末の移動状態が第１状態とは異なり、無線端末が所定閾値よりも速い速度で移動している第２状態であると判定するとＳ２０ＮＯ、第１期間よりも長い第２期間に亘って第１切替処理を行う条件が満たされた場合にＳ２２ＹＥＳ、第１切替処理を実行するＳ２３。【選択図】図７
2020162177.tif 000002
【特許請求の範囲】
【請求項１】
無線端末であって、
移動通信網から無線ＬＡＮに待ち受け先又は接続先を切り替える第１切替処理を行う制御部を備え、
前記制御部は、
前記無線端末の移動状態が第１状態であると判定され、第１期間に亘って前記第１切替処理を行う条件が満たされた場合に、前記第１切替処理を実行し、
前記無線端末の移動状態が前記第１状態とは異なる第２状態であると判定され、前記第１期間よりも長い第２期間に亘って前記第１切替処理を行う条件が満たされた場合に、前記第１切替処理を実行することを特徴とする無線端末。
【請求項２】
前記制御部は、
前記無線ＬＡＮを構成するアクセスポイントが固定アクセスポイントであるときに、前記無線端末の移動状態が前記第１状態であると判定され、前記第１期間に亘って前記第１切替処理を行う条件が満たされた場合に、前記第１切替処理を実行し、
前記無線ＬＡＮを構成するアクセスポイントが移動アクセスポイントであるときに、前記無線端末の移動状態が前記第２状態であると判定され、前記第２期間に亘って前記第１切替処理を行う条件が満たされた場合に、前記第１切替処理を実行することを特徴とする請求項１に記載の無線端末。
【請求項３】
前記制御部は、前記無線ＬＡＮを構成するアクセスポイントが前記固定アクセスポイントであるときに、前記無線端末の移動状態が前記第２状態である場合に、前記第１切替処理の実行を禁止することを特徴とする請求項２に記載の無線端末。
【請求項４】
前記制御部は、前記無線端末の移動状態が前記第２状態であると判定されたときに、前記無線ＬＡＮを構成するアクセスポイントが前記固定アクセスポイントである場合に、前記第１切替処理の実行を禁止することを特徴とする請求項２に記載の無線端末。
【請求項５】
前記第２期間は、前記第１期間のＮ（Ｎは１よりも大きい整数）倍であり、
前記Ｎを示す値は、前記移動通信網から通知されることを特徴とする請求項１に記載の無線端末。
【請求項６】
前記第２期間を示す値は、前記移動通信網から通知されることを特徴とする請求項１に記載の無線端末。
【請求項７】
前記第２期間は、前記移動通信網で予め定められていることを特徴とする請求項１に記載の無線端末。
【請求項８】
無線端末であって、
移動通信網から無線ＬＡＮに待ち受け先又は接続先を切り替える第１切替処理を行う制御部を備え、
前記制御部は、
前記無線ＬＡＮを構成するアクセスポイントが固定アクセスポイントであり、第１期間に亘って前記第１切替処理を行う条件が満たされた場合に、前記第１切替処理を実行し、
前記無線ＬＡＮを構成するアクセスポイントが移動アクセスポイントであり、前記第１期間よりも長い第２期間に亘って前記第１切替処理を行う条件が満たされた場合に、前記第１切替処理を実行することを特徴とする無線端末。
【請求項９】
前記制御部は、
前記無線端末の移動状態が第１状態であると判定されたときに、前記無線ＬＡＮを構成するアクセスポイントが前記固定アクセスポイントであり、前記第１期間に亘って前記第１切替処理を行う条件が満たされた場合に、前記第１切替処理を実行し、
前記無線端末の移動状態が前記第１状態とは異なる第２状態であると判定されたときに、前記無線ＬＡＮを構成するアクセスポイントが前記移動アクセスポイントであり、前記第２期間に亘って前記第１切替処理を行う条件が満たされた場合に、前記第１切替処理を実行することを特徴とする請求項８に記載の無線端末。
【請求項１０】
無線端末であって、
無線ＬＡＮから移動通信網に待ち受け先又は接続先を切り替える第２切替処理を行う制御部を備え、
前記制御部は、
前記無線ＬＡＮを構成するアクセスポイントが固定アクセスポイントであるときに、或いは、前記無線端末の移動状態が第１状態であると判定されたときに、第３期間に亘って前記第２切替処理を行う条件が満たされた場合に、前記第２切替処理を実行し、
前記無線ＬＡＮを構成するアクセスポイントが移動アクセスポイントであるときに、或いは、前記無線端末の移動状態が前記第１状態とは異なる第２状態であるとであると判定されたときに、前記第３期間よりも長い第４期間に亘って前記第２切替処理を行う条件が満たされた場合に、前記第２切替処理を実行することを特徴とする無線端末。
【請求項１１】
前記第４期間は、前記第３期間のＮ（Ｎは１よりも大きい整数）倍であり、
前記Ｎを示す値は、前記移動通信網から通知されることを特徴とする請求項１０に記載の無線端末。
【請求項１２】
前記第４期間を示す値は、前記移動通信網から通知されることを特徴とする請求項１０に記載の無線端末。
【請求項１３】
前記第４期間は、前記移動通信網で予め定められていることを特徴とする請求項１０に記載の無線端末。
【発明の詳細な説明】
【技術分野】
【０００１】
本発明は、移動通信網と無線ＬＡＮとの間で待ち受け先又は接続先を切り替える切替処理を行う無線端末に関する。
【背景技術】
【０００２】
ＬＴＥ（Ｌｏｎｇ  Ｔｅｒｍ  Ｅｖｏｌｕｔｉｏｎ）に代表される移動通信網のカバレッジエリアと無線ＬＡＮのカバレッジエリアの少なくとも一部が重複している場合に、移動通信網と無線ＬＡＮとの間で待ち受け先又は接続先を切り替える切替処理（ネットワークセレクション及びトラフィックステアリング）が提案されている。具体的には、切替処理は、移動通信網側の第１情報が第１条件を満たすか否か及び無線ＬＡＮ側の第２情報が第２条件を満たすか否かに基づいて実行される。詳細には、所定期間に亘って第１条件及び／又は第２条件が満たされた場合に、上述した切替処理が行われる。
【０００３】
ここで、移動通信網側の第１情報は、例えば、受信信号の信号レベル（ＲＳＲＰ；Ｒｅｆｅｒｅｎｃｅ  Ｓｉｇｎａｌ  Ｒｅｃｅｉｖｅｄ  Ｐｏｗｅｒ）の測定結果（ＲＳＲＰｍｅａｓ）及び受信信号の信号品質（ＲＳＲＱ；Ｒｅｆｅｒｅｎｃｅ  Ｓｉｇｎａｌ  Ｒｅｃｅｉｖｅｄ  Ｑｕａｌｉｔｙ）の測定結果（ＲＳＲＱｍｅａｓ）である。無線ＬＡＮ側の第２情報は、例えば、無線ＬＡＮのチャネル利用値、無線ＬＡＮのバックホール値、受信信号の信号強度（ＲＳＳＩ；Ｒｅｃｅｉｖｅｄ  Ｓｉｇｎａｌ  Ｓｔｒｅｎｇｔｈ  Ｉｎｄｉｃａｔｏｒ）である。
【先行技術文献】
【非特許文献】
【０００４】
【非特許文献１】ＴＳ３６．３０４Ｖ１２．１．０
【発明の概要】
【０００５】
第１の特徴に係る無線端末は、移動通信網から無線ＬＡＮに待ち受け先又は接続先を切り替える第１切替処理を行う制御部を備える。前記制御部は、前記無線端末の移動状態が第１状態であると判定され、所定期間に亘って前記第１切替処理を行う条件が満たされた場合に、前記第１切替処理を実行する。前記制御部は、前記無線端末の移動状態が前記第１状態とは異なる第２状態であると判定され、かつ、前記無線ＬＡＮを構成するアクセスポイントが移動アクセスポイントである場合に、前記所定期間に亘って前記第１切替処理を行う条件が満たされた場合に、前記第１切替処理を実行する。
【０００６】
第２の特徴に係る無線端末は、移動通信網から無線ＬＡＮに待ち受け先又は接続先を切り替える第１切替処理を行う制御部を備える。前記制御部は、前記無線端末の移動状態が第１状態であると判定され、第１期間に亘って前記第１切替処理を行う条件が満たされた場合に、前記第１切替処理を実行する。前記制御部は、前記無線端末の移動状態が前記第１状態とは異なる第２状態であると判定され、前記第１期間よりも長い第２期間に亘って前記第１切替処理を行う条件が満たされた場合に、前記第１切替処理を実行する。
【０００７】
第３の特徴に係る無線端末は、移動通信網から無線ＬＡＮに待ち受け先又は接続先を切り替える第１切替処理を行う制御部を備える。前記制御部は、前記無線ＬＡＮを構成するアクセスポイントが固定アクセスポイントであり、第１期間に亘って前記第１切替処理を行う条件が満たされた場合に、前記第１切替処理を実行する。前記制御部は、前記無線ＬＡＮを構成するアクセスポイントが移動アクセスポイントであり、前記第１期間よりも長い第２期間に亘って前記第１切替処理を行う条件が満たされた場合に、前記第１切替処理を実行する。
【０００８】
第４の特徴に係る無線端末は、無線ＬＡＮから移動通信網に待ち受け先又は接続先を切り替える第２切替処理を行う制御部を備える。前記制御部は、前記無線ＬＡＮを構成するアクセスポイントが固定アクセスポイントであるときに、或いは、前記無線端末の移動状態が第１状態であると判定されたときに、第３期間に亘って前記第２切替処理を行う条件が満たされた場合に、前記第２切替処理を実行する。前記制御部は、前記無線ＬＡＮを構成するアクセスポイントが移動アクセスポイントであるときに、或いは、前記無線端末の移動状態が前記第１状態とは異なる第２状態であるとであると判定されたときに、前記第３期間よりも長い第４期間に亘って前記第２切替処理を行う条件が満たされた場合に、前記第２切替処理を実行する。
【図面の簡単な説明】
【０００９】
【図１】図１は、実施形態に係る通信システム１を示す図である。
【図２】図２は、実施形態に係る無線端末１０を示すブロック図である。
【図３】図３は、実施形態に係る無線基地局１００を示すブロック図である。
【図４】図４は、実施形態に係る切替処理の判定（移動通信網側）を説明するための図である。
【図５】図５は、実施形態に係る切替処理の判定（無線ＬＡＮ側）を説明するための図である。
【図６】図６は、実施形態に係る通信方法を示すフロー図である。
【図７】図７は、変更例１に係る通信方法を示すフロー図である。
【図８】図８は、変更例２に係る通信方法を示すフロー図である。
【図９】図９は、変更例３に係る通信方法を示すフロー図である。
【図１０】図１０は、変更例４に係る通信方法を示すフロー図である。
【図１１】図１１は、変更例５に係る通信方法を示すフロー図である。
【発明を実施するための形態】
【００１０】
［開示の概要］
ところで、無線端末が所定速度よりも高い速度で移動している場合には、移動通信網から無線ＬＡＮに対する切替処理が実行された後に、無線ＬＡＮから移動通信網への切替処理が直ちに実行される可能性がある。従って、無線端末が所定速度よりも高い速度で移動している場合には、移動通信網から無線ＬＡＮに対する切替処理を一律に禁止することが考えられる。
【００１１】
しかしながら、無線ＬＡＮを構成するアクセスポイントとしては、店舗やオフィスなどの固定物に設置される固定アクセスポイントだけではなく、乗り物などの移動体に設置される移動アクセスポイントが考えられる。従って、所定速度よりも高い速度で移動している場合に、移動通信網から無線ＬＡＮに対する切替処理を一律に禁止してしまうと、移動アクセスポイントが設置される移動体とともに無線端末が移動するケース（例えば、移動アクセスポイントが設置される乗り物に無線端末を所持するユーザが乗るケース）において、移動通信網から無線ＬＡＮに対する切替処理を無線端末が実行することができず、移動アクセスポイントを利用することができない。
【００１２】
そこで、実施形態は、上述した課題を解決するためになされたものであり、移動アクセスポイントを有効に利用することを可能とする無線端末を提供する。
【００１３】
開示の概要に係る無線端末は、移動通信網から無線ＬＡＮに待ち受け先又は接続先を切り替える第１切替処理を行う制御部を備える。
【００１４】
第１の特徴において、前記制御部は、前記無線端末の移動状態が第１状態であると判定され、所定期間に亘って前記第１切替処理を行う条件が満たされた場合に、前記第１切替処理を実行する。前記制御部は、前記無線端末の移動状態が前記第１状態とは異なる第２状態であると判定され、かつ、前記無線ＬＡＮを構成するアクセスポイントが移動アクセスポイントである場合に、前記所定期間に亘って前記第１切替処理を行う条件が満たされた場合に、前記第１切替処理を実行する。
【００１５】
第１の特徴によれば、前記制御部は、前記無線端末の移動状態が前記第２状態であっても、前記無線ＬＡＮを構成するアクセスポイントが前記移動アクセスポイントであれば、前記所定期間に亘って前記第１切替処理を行う条件が満たされた場合に、前記第１切替処理を実行する。従って、前記第２状態において、前記移動通信網から前記無線ＬＡＮに対する前記第１切替処理が一律に禁止されず、前記移動アクセスポイントを有効に利用することができる。
【００１６】
第２の特徴において、前記制御部は、前記無線端末の移動状態が第１状態であると判定され、第１期間に亘って前記第１切替処理を行う条件が満たされた場合に、前記第１切替処理を実行する。前記制御部は、前記無線端末の移動状態が前記第１状態とは異なる第２状態であると判定され、前記第１期間よりも長い第２期間に亘って前記第１切替処理を行う条件が満たされた場合に、前記第１切替処理を実行する。
【００１７】
第２の特徴において、前記制御部は、前記無線ＬＡＮを構成するアクセスポイントが固定アクセスポイントであるときに、前記無線端末の移動状態が前記第１状態であると判定され、前記第１期間に亘って前記第１切替処理を行う条件が満たされた場合に、前記第１切替処理を実行する。前記無線ＬＡＮを構成するアクセスポイントが移動アクセスポイントであるときに、前記無線端末の移動状態が前記第２状態であると判定され、前記第２期間に亘って前記第１切替処理を行う条件が満たされた場合に、前記第１切替処理を実行する。
【００１８】
第２の特徴において、前記制御部は、前記無線ＬＡＮを構成するアクセスポイントが前記固定アクセスポイントであるときに、前記無線端末の移動状態が前記第２状態である場合に、前記第１切替処理の実行を禁止する。
【００１９】
第２の特徴によれば、前記制御部は、前記無線端末の移動状態が前記第２状態であっても、前記第２期間に亘って前記第１切替処理を行う条件が満たされた場合に、前記第１切替処理を実行する。従って、前記第２状態において、前記移動通信網から前記無線ＬＡＮに対する前記第１切替処理が一律に禁止されず、前記移動アクセスポイントを有効に利用することができる。また、前記第２期間が前記第１期間よりも長いため、前記移動アクセスポイントが設置された移動体と同様の移動を前記無線端末が偶発的に行っているケースにおいて、第１切替処理が誤って行われる可能性を軽減することができる。このようなケースは、例えば、前記移動アクセスポイントが設置された乗り物に前記無線端末を所持するユーザが乗車していないケースなどである。
【００２０】
第３の特徴において、前記制御部は、前記無線ＬＡＮを構成するアクセスポイントが固定アクセスポイントであり、第１期間に亘って前記第１切替処理を行う条件が満たされた場合に、前記第１切替処理を実行する。前記制御部は、前記無線ＬＡＮを構成するアクセスポイントが移動アクセスポイントであり、前記第１期間よりも長い第２期間に亘って前記第１切替処理を行う条件が満たされた場合に、前記第１切替処理を実行する。
【００２１】
第３の特徴において、前記制御部は、前記無線端末の移動状態が第１状態であると判定されたときに、前記無線ＬＡＮを構成するアクセスポイントが前記固定アクセスポイントであり、前記第１期間に亘って前記第１切替処理を行う条件が満たされた場合に、前記第１切替処理を実行する。前記無線端末の移動状態が前記第１状態とは異なる第２状態であると判定されたときに、前記無線ＬＡＮを構成するアクセスポイントが前記移動アクセスポイントであり、前記第２期間に亘って前記第１切替処理を行う条件が満たされた場合に、前記第１切替処理を実行する。
【００２２】
第３の特徴において、前記制御部は、前記無線端末の移動状態が前記第２状態であると判定されたときに、前記無線ＬＡＮを構成するアクセスポイントが前記固定アクセスポイントである場合に、前記第１切替処理の実行を禁止する。
【００２３】
第３の特徴によれば、前記制御部は、前記無線ＬＡＮを構成するアクセスポイントが前記移動アクセスポイントであり、前記第２期間に亘って前記第１切替処理を行う条件が満たされた場合に、前記第１切替処理を実行する。従って、前記移動アクセスポイントを有効に利用することが可能である。また、前記第２期間が前記第１期間よりも長いため、前記移動アクセスポイントが設置された移動体と同様の移動を前記無線端末が偶発的に行っているケースにおいて、第１切替処理が誤って行われる可能性を軽減することができる。このようなケースは、例えば、前記移動アクセスポイントが設置された乗り物に前記無線端末を所持するユーザが乗車していないケースに加えて、前記移動アクセスポイントが設置された乗り物が一時的に停止しているケースなどである。
【００２４】
第２の特徴及び第３の特徴において、前記第２期間は、前記第１期間のＮ（Ｎは１よりも大きい整数）倍であり、前記Ｎを示す値は、前記移動通信網から通知される。
【００２５】
第２の特徴及び第３の特徴において、前記第２期間を示す値は、前記移動通信網から通知される。
【００２６】
第２の特徴及び第３の特徴において、前記第２期間は、前記移動通信網で予め定められている。
【００２７】
開示の概要に係る無線端末は、無線ＬＡＮのカバレッジエリアの少なくとも一部が移動通信網のカバレッジエリアと重複している場合に、前記移動通信網から前記無線ＬＡＮに待ち受け先又は接続先を切り替える第２切替処理を行う制御部を備える。
【００２８】
第４の特徴において、前記制御部は、前記無線ＬＡＮを構成するアクセスポイントが固定アクセスポイントであるときに、或いは、前記無線端末の移動状態が第１状態であると判定されたときに、第３期間に亘って前記第２切替処理を行う条件が満たされた場合に、前記第２切替処理を実行する。前記制御部は、前記無線ＬＡＮを構成するアクセスポイントが移動アクセスポイントであるときに、或いは、前記無線端末の移動状態が前記第１状態とは異なる第２状態であるとであると判定されたときに、前記第３期間よりも長い第４期間に亘って前記第２切替処理を行う条件が満たされた場合に、前記第２切替処理を実行する。
【００２９】
第４の特徴において、前記第４期間は、前記第３期間のＮ（Ｎは１よりも大きい整数）倍である。前記Ｎを示す値は、前記移動通信網から通知される。
【００３０】
第４の特徴において、前記第４期間を示す値は、前記移動通信網から通知される。
【００３１】
第４の特徴において、前記第４期間は、前記移動通信網で予め定められている。
【００３２】
第４の特徴によれば、前記制御部は、前記無線ＬＡＮを構成するアクセスポイントが前記移動アクセスポイントであるときに、或いは、前記無線端末の移動状態が前記第２状態であるとであると判定されたときに、前記第３期間よりも長い第４期間に亘って前記第２切替処理を行う条件が満たされた場合に、前記第２切替処理を実行する。すなわち、前記第４期間が前記第３期間よりも長いため、前記移動アクセスポイントが設置された乗り物が一時的に停止するケースにおいて、乗り物の一時停止に伴って無線ＬＡＮから移動通信網への前記第２切替処理が実行された直後に、乗り物の発車に伴って移動通信網から無線ＬＡＮへの第１切替処理が実行される事態が抑制される。すなわち、不要な第２切替処理の抑制によって、前記移動アクセスポイントを有効に利用することが可能である。
【００３３】
なお、第４の特徴では、第１の特徴のように、前記無線端末の移動状態が前記第２状態である場合に、前記無線端末が前記移動アクセスポイントに接続されるという前提で、「前記無線ＬＡＮを構成するアクセスポイントが前記移動アクセスポイントである」という条件は、「前記無線端末の移動状態が前記第２状態である」という条件と同様の意味を持つことに留意すべきである。
【００３４】
以下において、本発明の実施形態に係る無線端末について、図面を参照しながら説明する。なお、以下の図面の記載において、同一又は類似の部分には、同一又は類似の符号を付している。
【００３５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００３６】
［実施形態］
（通信システム）
以下において、実施形態に係る通信システムについて説明する。図１は、実施形態に係る通信システム１を示す図である。
【００３７】
図１に示すように、通信システム１は、無線基地局１００と、アクセスポイント２００とを有する。また、通信システム１は、無線基地局１００又はアクセスポイント２００と接続可能な無線端末１０を備える。
【００３８】
無線端末１０は、携帯電話又はタブレットなどの端末である。無線端末１０は、無線基地局１００と無線通信を行う機能に加えて、アクセスポイント２００と無線通信を行う機能を有する。
【００３９】
無線基地局１００は、第１カバレッジエリア１００Ａを有しており、第１カバレッジエリア１００Ａにおいて、ＬＴＥ（Ｌｏｎｇ  Ｔｅｒｍ  Ｅｖｏｌｕｔｉｏｎ）に代表される移動通信サービスを提供する。無線基地局１００は、１つ又は複数のセルを管理しており、第１カバレッジエリア１００Ａは、１つ又は複数のセルによって構成される。無線基地局１００は、移動通信網のエンティティである。なお、セルとは、地理的なエリアを示す用語と考えてもよく、無線端末１０と無線通信を行う機能と考えてもよい。
【００４０】
アクセスポイント２００は、第２カバレッジエリア２００Ａを有しており、第２カバレッジエリア２００Ａにおいて、無線ＬＡＮサービスを提供する。アクセスポイント２００は、無線ＬＡＮのエンティティである。第２カバレッジエリア２００Ａの少なくとも一部は、第１カバレッジエリア１００Ａと重複する。第２カバレッジエリア２００Ａの全部が第１カバレッジエリア１００Ａと重複していてもよい。一般的には、第２カバレッジエリア２００Ａは、第１カバレッジエリア１００Ａよりも小さい。
【００４１】
実施形態において、アクセスポイント２００は、店舗やオフィスなどの固定物に設置される固定アクセスポイントであってもよく、乗り物などの移動体に設置される移動アクセスポイントであってもよい。アクセスポイント２００が固定アクセスポイントであるか移動アクセスポイントであるかを示す種別情報（ＷＬＡＮ  Ｔｙｐｅ）は、例えば、無線基地局１００から報知される。
【００４２】
（適用シーン）
実施形態において、移動通信網と無線ＬＡＮとの間で待ち受け先又は接続先を切り替える切替処理（例えば、ネットワークセレクション及びトラフィックステアリング）を行う方法について説明する。切替処理は、移動通信網から無線ＬＡＮに対して待ち受け先又は接続先を切り替える第１切替処理、及び、無線ＬＡＮから移動通信網に対して待ち受け先又は接続先を切り替える第２切替処理の双方を含む。但し、実施形態では、切替処理が第１切替処理であるケースについて主として説明する。
【００４３】
具体的には、実施形態では、無線端末１０の移動状態が第１状態であると判定され、所定期間に亘って第１切替処理を行う条件が満たされた場合に、第１切替処理が実行される。無線端末１０の移動状態が第１状態とは異なる第２状態であると判定され、かつ、無線ＬＡＮを構成するアクセスポイント２００が移動アクセスポイントである場合に、所定期間に亘って第１切替処理を行う条件が満たされた場合に、第１切替処理が実行される。
【００４４】
なお、切替処理が第１切替処理であるケースにおいて、無線ＬＡＮを構成するアクセスポイント２００とは、第１切替処理における待ち受け先又は接続先の候補であることに留意すべきである。
【００４５】
実施形態において、第１状態とは、無線端末１０が所定閾値よりも遅い速度で移動している状態である。一方で、第２状態とは、無線端末１０が所定閾値よりも速い速度で移動している状態である。
【００４６】
無線端末１０の移動状態は、無線端末１０に設けられるＧＰＳによって取得される位置の変化に基づいて判定されてもよく、無線端末１０に設けられる加速度センサによって取得される加速度に基づいて判定されてもよく、一定期間におけるハンドオーバ回数に基づいて判定されてもよい。
【００４７】
或いは、移動通信網は、無線端末１０の移動状態を推定するとともに、推定された移動状態に応じて、第１切替処理又は第２切替処理が満たされている期間を判定するための所定期間を特定し、特定された所定期間を示す信号を無線端末１０に通知してもよい。移動通信網は、例えば、無線端末１０のハンドオーバ回数などに基づいて無線端末１０の移動状態を推定する。このようなケースにおいて、無線端末１０は、無線端末１０の移動状態を直接的に判定する必要がなく、移動通信網から通知された信号によって、無線端末１０の移動状態を間接的に判定することができる。特定された所定期間は、例えば、移動通信網（無線基地局１００）送信されるＲＲＣメッセージ（例えば、ＲＲＣ  Ｃｏｎｎｅｃｔｉｏｎ  Ｒｅｃｏｎｆｉｇｕｒａｔｉｏｎ）に含まれてもよく、移動通信網（無線基地局１００）から報知されるＳＩＢ（例えば、ＷＬＡＮ−ＯｆｆｌｏａｄＣｏｎｆｉｇ−ｒ１２）に含まれてもよい。
【００４８】
或いは、移動通信網は、無線端末１０の移動状態を推定するとともに、推定された移動状態を示す信号を無線端末１０に通知してもよい。
【００４９】
或いは、無線端末１０を所持するユーザが乗り物に乗っている場合には、無線端末１０の移動状態は、乗り物に設けられたスピードメータと通信を行うことによってスピードメータから取得される速度によって判定されてもよい。
【００５０】
実施形態において、切替処理を行う条件は、第１条件及び第２条件を含む。第１条件は、移動通信網側の第１情報が満たすべき条件であり、第２条件は、無線ＬＡＮ側の第２情報が満たすべき条件である。
【００５１】
ここで、移動通信網側の第１情報は、例えば、受信信号の信号レベル（ＲＳＲＰ；Ｒｅｆｅｒｅｎｃｅ  Ｓｉｇｎａｌ  Ｒｅｃｅｉｖｅｄ  Ｐｏｗｅｒ）の測定結果（ＲＳＲＰｍｅａｓ）及び受信信号の信号品質（ＲＳＲＱ；Ｒｅｆｅｒｅｎｃｅ  Ｓｉｇｎａｌ  Ｒｅｃｅｉｖｅｄ  Ｑｕａｌｉｔｙ）の測定結果（ＲＳＲＱｍｅａｓ）である。
【００５２】
無線ＬＡＮ側の第２情報は、例えば、無線ＬＡＮのチャネル利用値（ＣｈａｎｎｅｌＵｔｉｌｉｚａｔｉｏｎＷＬＡＮ）、無線ＬＡＮの下りリンクのバックホール値（ＢａｃｋｈａｕｌＲａｔｅＤｌＷＬＡＮ）、無線ＬＡＮの上りリンクのバックホール値（ＢａｃｋｈａｕｌＲａｔｅＵｌＷＬＡＮ）、受信信号の信号レベル（ＲＳＳＩ；Ｒｅｃｅｉｖｅｄ  Ｓｉｇｎａｌ  Ｓｔｒｅｎｇｔｈ  Ｉｎｄｉｃａｔｏｒ）である。
【００５３】
（移動通信網から無線ＬＡＮに対する第１切替処理）
移動通信網から無線ＬＡＮに対して待ち受け先又は接続先を切り替える第１条件は、例えば、以下の条件（１ａ）又は（１ｂ）のいずれかが満たされることである。但し、第１条件は、以下の条件（１ａ）〜（１ｂ）の全てが満たされることであってもよい。
【００５４】
（１ａ）ＲＳＲＰｍｅａｓ＜ＴｈｒｅｓｈＳｅｒｖｉｎｇＯｆｆｌｏａｄＷＬＡＮ，ＬｏｗＰ
（１ｂ）ＲＳＲＱｍｅａｓ＜ＴｈｒｅｓｈＳｅｒｖｉｎｇＯｆｆｌｏａｄＷＬＡＮ，ＬｏｗＱ
【００５５】
なお、“ＴｈｒｅｓｈＳｅｒｖｉｎｇＯｆｆｌｏａｄＷＬＡＮ，ＬｏｗＰ”及び“ＴｈｒｅｓｈＳｅｒｖｉｎｇＯｆｆｌｏａｄＷＬＡＮ，ＬｏｗＱ”は、無線基地局１００から提供される閾値又は予め定められた閾値である。
【００５６】
移動通信網から無線ＬＡＮに対して待ち受け先又は接続先を切り替える第２条件は、例えば、以下の条件（１ｃ）〜（１ｆ）の全てが満たされることである。但し、第２条件は、以下の条件（１ｃ）〜（１ｆ）のいずれかが満たされることであってもよい。
【００５７】
（１ｃ）ＣｈａｎｎｅｌＵｔｉｌｉｚａｔｉｏｎＷＬＡＮ＜ＴｈｒｅｓｈＣｈＵｔｉｌＷＬＡＮ，Ｌｏｗ
（１ｄ）ＢａｃｋｈａｕｌＲａｔｅＤｌＷＬＡＮ＞ＴｈｒｅｓｈＢａｃｋｈＲａｔｅＤＬＷＬＡＮ，Ｈｉｇｈ
（１ｅ）ＢａｃｋｈａｕｌＲａｔｅＵｌＷＬＡＮ＞ＴｈｒｅｓｈＢａｃｋｈＲａｔｅＵＬＷＬＡＮ，Ｈｉｇｈ
（１ｆ）ＲＳＳＩ＞ＴｈｒｅｓｈＢＥＡＣＯＮＳＲＳＳＩ，Ｈｉｇｈ
【００５８】
なお、“ＴｈｒｅｓｈＣｈＵｔｉｌＷＬＡＮ，Ｌｏｗ”、“ＴｈｒｅｓｈＢａｃｋｈＲａｔｅＤＬＷＬＡＮ，Ｈｉｇｈ”、“ＴｈｒｅｓｈＢａｃｋｈＲａｔｅＵＬＷＬＡＮ，Ｈｉｇｈ”及び“ＴｈｒｅｓｈＢＥＡＣＯＮＳＲＳＳＩ，Ｈｉｇｈ”は、無線基地局１００から提供される閾値又は予め定められた閾値である。
【００５９】
（無線ＬＡＮから移動通信網に対する第２切替処理）
無線ＬＡＮから移動通信網に対して待ち受け先又は接続先を切り替える第１条件は、例えば、以下の条件（２ａ）及び（２ｂ）が満たされることである。但し、第１条件は、以下の条件（２ａ）又は（２ｂ）のいずれかが満たされることであってもよい。
【００６０】
（２ａ）ＲＳＲＰｍｅａｓ＞ＴｈｒｅｓｈＳｅｒｖｉｎｇＯｆｆｌｏａｄＷＬＡＮ，ＨｉｇｈＰ
（２ｂ）ＲＳＲＱｍｅａｓ＞ＴｈｒｅｓｈＳｅｒｖｉｎｇＯｆｆｌｏａｄＷＬＡＮ，ＨｉｇｈＱ
【００６１】
なお、“ＴｈｒｅｓｈＳｅｒｖｉｎｇＯｆｆｌｏａｄＷＬＡＮ，ＨｉｇｈＰ”及び“ＴｈｒｅｓｈＳｅｒｖｉｎｇＯｆｆｌｏａｄＷＬＡＮ，ＨｉｇｈＱ”は、無線基地局１００から提供される閾値又は予め定められた閾値である。
【００６２】
無線ＬＡＮから移動通信網に対して待ち受け先又は接続先を切り替える第２条件は、例えば、以下の条件（２ｃ）〜（２ｆ）のいずれかが満たされることである。但し、第２条件は、以下の条件（２ｃ）〜（２ｆ）の全てが満たされることであってもよい。
【００６３】
（２ｃ）ＣｈａｎｎｅｌＵｔｉｌｉｚａｔｉｏｎＷＬＡＮ＞ＴｈｒｅｓｈＣｈＵｔｉｌＷＬＡＮ，Ｈｉｇｈ
（２ｄ）ＢａｃｋｈａｕｌＲａｔｅＤｌＷＬＡＮ＜ＴｈｒｅｓｈＢａｃｋｈＲａｔｅＤＬＷＬＡＮ，Ｌｏｗ
（２ｅ）ＢａｃｋｈａｕｌＲａｔｅＵｌＷＬＡＮ＜ＴｈｒｅｓｈＢａｃｋｈＲａｔｅＵＬＷＬＡＮ，Ｌｏｗ
（２ｆ）ＲＳＳＩ＜ＴｈｒｅｓｈＢＥＡＣＯＮＳＲＳＳＩ，Ｌｏｗ
【００６４】
なお、“ＴｈｒｅｓｈＣｈＵｔｉｌＷＬＡＮ，Ｈｉｇｈ”、“ＴｈｒｅｓｈＢａｃｋｈＲａｔｅＤＬＷＬＡＮ，Ｌｏｗ”、“ＴｈｒｅｓｈＢａｃｋｈＲａｔｅＵＬＷＬＡＮ，Ｌｏｗ”及び“ＴｈｒｅｓｈＢＥＡＣＯＮＳＲＳＳＩ，Ｌｏｗ”は、無線基地局１００から提供される閾値又は予め定められた閾値である。
【００６５】
（切替処理の補足説明）
上述した閾値が提供されていない場合には、無線端末１０は、閾値が提供されていない情報の取得（すなわち、受信又は測定）を省略してもよい。
【００６６】
実施形態において、上述した各種閾値は、移動通信網と無線ＬＡＮとの間で待ち受け先又は接続先を切り替える切替処理を行うか否かを判定するための判定パラメータの一例である。すなわち、判定パラメータは、“ＴｈｒｅｓｈＳｅｒｖｉｎｇＯｆｆｌｏａｄＷＬＡＮ，ＬｏｗＰ”、“ＴｈｒｅｓｈＳｅｒｖｉｎｇＯｆｆｌｏａｄＷＬＡＮ，ＬｏｗＱ”、“ＴｈｒｅｓｈＣｈＵｔｉｌＷＬＡＮ，Ｌｏｗ”、“ＴｈｒｅｓｈＢａｃｋｈＲａｔｅＤＬＷＬＡＮ，Ｈｉｇｈ”、“ＴｈｒｅｓｈＢａｃｋｈＲａｔｅＵＬＷＬＡＮ，Ｈｉｇｈ”、“ＴｈｒｅｓｈＢＥＡＣＯＮＳＲＳＳＩ，Ｈｉｇｈ”、“ＴｈｒｅｓｈＳｅｒｖｉｎｇＯｆｆｌｏａｄＷＬＡＮ，ＨｉｇｈＰ”、“ＴｈｒｅｓｈＳｅｒｖｉｎｇＯｆｆｌｏａｄＷＬＡＮ，ＨｉｇｈＱ”、“ＴｈｒｅｓｈＣｈＵｔｉｌＷＬＡＮ，Ｈｉｇｈ”、“ＴｈｒｅｓｈＢａｃｋｈＲａｔｅＤＬＷＬＡＮ，Ｌｏｗ”、“ＴｈｒｅｓｈＢａｃｋｈＲａｔｅＵＬＷＬＡＮ，Ｌｏｗ”及び“ＴｈｒｅｓｈＢＥＡＣＯＮＳＲＳＳＩ，Ｌｏｗ”の中から選択された１つ以上の値を含む。
【００６７】
さらに、判定パラメータは、第１条件又は第２条件が満たされている状態が継続すべき所定期間（ＴｓｔｅｅｒｉｎｇＷＬＡＮ）を含む。所定期間（ＴｓｔｅｅｒｉｎｇＷＬＡＮ）は、例えば、最大で７秒の値である。或いは、判定パラメータは、移動通信網から無線ＬＡＮに対する第１切替処理で参照される所定期間（ＴｓｔｅｅｒｉｎｇＷＬＡＮ）及び無線ＬＡＮから移動通信網に対する第２切替処理で参照される所定期間（ＴｓｔｅｅｒｉｎｇＥＵＴＴＲＡ）を含んでもよい。すなわち、第１切替処理で参照される所定期間（ＴｓｔｅｅｒｉｎｇＷＬＡＮ）とは別に、第２切替処理で参照される所定期間（ＴｓｔｅｅｒｉｎｇＥＵＴＴＲＡ）が定義されてもよい。
【００６８】
判定パラメータとしては、無線基地局１００から無線端末１０に対して個別に通知される個別パラメータ及び無線基地局１００から無線端末１０に対して報知される報知パラメータが存在する。個別パラメータは、例えば、無線基地局１００から無線端末１０に送信されるＲＲＣメッセージ（例えば、ＲＲＣ  Ｃｏｎｎｅｃｔｉｏｎ  Ｒｅｃｏｎｆｉｇｕｒａｔｉｏｎ）に含まれる。報知パラメータは、例えば、無線基地局１００から報知されるＳＩＢ（例えば、ＷＬＡＮ−ＯｆｆｌｏａｄＣｏｎｆｉｇ−ｒ１２）に含まれる。無線端末１０は、報知パラメータに加えて個別パラメータを受信した場合に、報知パラメータよりも個別パラメータを優先して適用することに留意すべきである。
【００６９】
（無線端末）
以下において、実施形態に係る無線端末について説明する。図２は、実施形態に係る無線端末１０を示すブロック図である。
【００７０】
図２に示すように、無線端末１０は、ＬＴＥ無線通信部１１と、ＷＬＡＮ無線通信部１２と、制御部１３とを有する。
【００７１】
ＬＴＥ無線通信部１１は、無線基地局１００と無線通信を行う機能を有する。例えば、ＬＴＥ無線通信部１１は、無線基地局１００から参照信号を定期的に受信する。ＬＴＥ無線通信部１１は、参照信号の信号レベル（ＲＳＲＰ）及び参照信号の信号品質（ＲＳＲＱ）を定期的に測定する。ＬＴＥ無線通信部１１は、判定パラメータとして個別パラメータ及び報知パラメータを無線基地局１００から受信する。
【００７２】
さらに、ＬＴＥ無線通信部１１は、無線基地局１００の周囲に設けられるアクセスポイント２００のリストを無線基地局１００から受信する。アクセスポイント２００のリストは、例えば、無線基地局１００からＳＩＢ（例えば、ＷＬＡＮ−Ｉｄ−ｒ１２）によって報知される。アクセスポイント２００のリストは、アクセスポイント２００が固定アクセスポイントであるか移動アクセスポイントであるかを示す種別情報（ＷＬＡＮ  Ｔｙｐｅ）を含むことが好ましい。
【００７３】
ＷＬＡＮ無線通信部１２は、アクセスポイント２００と無線通信を行う機能を有する。例えば、ＷＬＡＮ無線通信部１２は、アクセスポイント２００からビーコン又はプローブ応答を受信する。ビーコン又はプローブ応答は、ＢＢＳ  Ｌｏａｄ情報要素を含み、無線ＬＡＮのチャネル利用値（ＣｈａｎｎｅｌＵｔｉｌｉｚａｔｉｏｎＷＬＡＮ）は、ＢＢＳ  Ｌｏａｄ情報要素から取得することができる。
【００７４】
ＷＬＡＮ無線通信部１２は、アクセスポイント２００に対する要求（ＧＡＳ（Ｇｅｎｅｒｉｃ  Ａｄｖｅｒｔｉｓｅｍｅｎｔ  Ｓｅｒｖｉｃｅ）  Ｒｅｑｕｅｓｔ）に応じてアクセスポイント２００から返信される応答（ＧＡＳ  Ｒｅｓｐｏｎｓｅ）を受信する。応答（ＧＡＳ  Ｒｅｓｐｏｎｓｅ）は、無線ＬＡＮの下りリンクのバックホール値（ＢａｃｋｈａｕｌＲａｔｅＤｌＷＬＡＮ）及び無線ＬＡＮの上りリンクのバックホール値（ＢａｃｋｈａｕｌＲａｔｅＵｌＷＬＡＮ）を含む。このような問合せ手順は、ＷＦＡ（Ｗｉ−Ｆｉ  Ａｌｌｉａｎｃｅ）のＨｏｔｓｐｏｔ２．０で規定されるＡＮＱＰ（Ａｃｃｅｓｓ  Ｎｅｔｗｏｒｋ  Ｑｕｅｒｙ  Ｐｒｏｔｏｃｏｌ）に従って行われる。
【００７５】
ＷＬＡＮ無線通信部１２は、アクセスポイント２００から信号を受信する。ＷＬＡＮ無線通信部１２は、受信信号の信号レベル（ＲＳＳＩ）を測定する。受信信号の信号レベル（ＲＳＳＩ）は、ビーコン又はプローブ応答の信号強度である。
【００７６】
制御部１３は、ＣＰＵ及びメモリ等によって構成されており、無線端末１０を制御する。例えば、制御部１３は、無線ＬＡＮのカバレッジエリアの少なくとも一部が移動通信網のカバレッジエリアと重複している場合に、移動通信網と無線ＬＡＮとの間で待ち受け先又は接続先を切り替える切替処理（第１切替処理及び第２切替処理）を行う。ここでは、切替処理が第１切替処理であるケースについて主として説明する。
【００７７】
具体的には、制御部１３は、無線端末１０の移動状態が第１状態であると判定され、所定期間に亘って第１切替処理を行う条件が満たされた場合に、第１切替処理を実行する。制御部１３は、無線端末１０の移動状態が第１状態とは異なる第２状態であると判定され、かつ、無線ＬＡＮを構成するアクセスポイント２００が移動アクセスポイントである場合に、所定期間に亘って第１切替処理を行う条件が満たされた場合に、第１切替処理を実行する。
【００７８】
例えば、制御部１３は、無線基地局１００から種別情報（ＷＬＡＮ  Ｔｙｐｅ）が報知される場合には、種別情報（ＷＬＡＮ  Ｔｙｐｅ）に基づいて、無線ＬＡＮを構成するアクセスポイント２００が移動アクセスポイントであるか否かを判定することができる。なお、制御部１３は、無線ＬＡＮを構成するアクセスポイント２００の事前登録等によって、アクセスポイント２００が移動アクセスポイントであるか否かを判定してもよい。
【００７９】
（無線基地局）
以下において、実施形態に係る無線基地局について説明する。図３は、実施形態に係る無線基地局１００を示すブロック図である。
【００８０】
図３に示すように、無線基地局１００は、ＬＴＥ無線通信部１１０と、制御部１２０とを有する。
【００８１】
ＬＴＥ無線通信部１１０は、無線端末１０と無線通信を行う機能を有する。例えば、ＬＴＥ無線通信部１１０は、無線端末１０に対して参照信号を定期的に送信する。ＬＴＥ無線通信部１１０は、判定パラメータとして個別パラメータ及び報知パラメータを無線端末１０に送信する。上述したように、ＬＴＥ無線通信部１１０は、ＲＲＣメッセージ（例えば、ＲＲＣ  Ｃｏｎｎｅｃｔｉｏｎ  Ｒｅｃｏｎｆｉｇｕｒａｔｉｏｎ）によって個別パラメータを無線端末１０に通知し、ＳＩＢ（例えば、ＷＬＡＮ−ＯｆｆｌｏａｄＣｏｎｆｉｇ−ｒ１２）によって報知パラメータを無線端末１０に通知する。
【００８２】
制御部１２０は、ＣＰＵ及びメモリ等によって構成されており、無線基地局１００を制御する。
【００８３】
（切替処理の判定）
以下において、切替処理の判定について、移動通信網から無線ＬＡＮに対する第１切替処理を例に挙げて説明する。
【００８４】
第１に、所定期間（ＴｓｔｅｅｒｉｎｇＷＬＡＮ又はＴｓｔｅｅｒｉｎｇＥＵＴＲＡ）に亘って第１情報が第１条件を満たすか否かを判定する方法について説明する。第１情報は、参照信号の信号レベル（ＲＳＲＰ）の測定結果（ＲＳＲＰｍｅａｓ）又は参照信号の信号品質（ＲＳＲＰ）の測定結果（ＲＳＲＱｍｅａｓ）であり、参照信号は短い周期で定期的に受信され、ＲＳＲＰｍｅａｓ又はＲＳＲＱｍｅａｓが比較的に短い周期で測定される。すなわち、図４に示すように、ＲＳＲＰｍｅａｓ又はＲＳＲＱｍｅａｓは、時間軸方向において連続的に取得される。
【００８５】
第２に、所定期間（ＴｓｔｅｅｒｉｎｇＷＬＡＮ又はＴｓｔｅｅｒｉｎｇＥＵＴＲＡ）に亘って第２情報が第２条件を満たすか否かを判定する方法について説明する。第２情報を取得する周期について取り決めがない。すなわち、図５に示すように、第２情報（例えば、ＢａｃｋｈａｕｌＲａｔｅＤｌＷＬＡＮ又はＢａｃｋｈａｕｌＲａｔｅＵｌＷＬＡＮ）は、時間軸方向において離散的に取得される。
【００８６】
（通信方法）
以下において、実施形態に係る通信方法について説明する。図６は、実施形態に係る通信方法を示すフロー図である。図６に示すフローは、無線端末１０によって実行される。ここでは、切替処理が第１切替処理であるケースについて説明する。
【００８７】
図６に示すように、ステップＳ１０において、無線端末１０は、無線端末１０の移動状態が第１状態であるか否かを判定する。判定結果がＹＥＳである場合には、ステップＳ１１の処理が行われる。判定結果がＮＯである場合には、ステップＳ１２の処理が行われる。言い換えると、無線端末１０の移動状態が第２状態であると判定された場合には、ステップＳ１２の処理が行われる。
【００８８】
ステップＳ１１において、無線端末１０は、所定期間に亘って第１切替処理を行う条件が満たされているか否かを判定する。判定結果がＹＥＳである場合には、ステップＳ１４の処理が行われる。判定結果がＮＯである場合には、一連の処理を終了する（すなわち、第１切替処理は行われない）。
【００８９】
ステップＳ１２において、無線端末１０は、無線ＬＡＮを構成するアクセスポイント２００が移動アクセスポイントであるか否かを判定する。判定結果がＹＥＳである場合には、ステップＳ１３の処理が行われる。判定結果がＮＯである場合には、一連の処理を終了する（すなわち、第１切替処理は行われない）。言い換えると、無線端末１０の移動状態が第２状態であり、無線ＬＡＮを構成するアクセスポイント２００が固定アクセスポイントである場合には、一連の処理を終了する（すなわち、第１切替処理は行われない）。
【００９０】
ステップＳ１３において、無線端末１０は、所定期間に亘って第１切替処理を行う条件が満たされているか否かを判定する。判定結果がＹＥＳである場合には、ステップＳ１４の処理が行われる。判定結果がＮＯである場合には、一連の処理を終了する（すなわち、第１切替処理は行われない）。
【００９１】
ステップＳ１４において、無線端末１０は、移動通信網から無線ＬＡＮに待ち受け先又は接続先を切り替える第１切替処理を行う。
【００９２】
（作用及び効果）
実施形態によれば、無線端末１０の制御部１３は、無線端末１０の移動状態が第２状態であっても、無線ＬＡＮを構成するアクセスポイント２００が移動アクセスポイントであれば、所定期間に亘って第１切替処理を行う条件が満たされた場合に、第１切替処理を実行する。従って、第２状態において、移動通信網から無線ＬＡＮに対する第１切替処理が一律に禁止されず、移動アクセスポイントを有効に利用することができる。
【００９３】
［変更例１］
以下において、実施形態の変更例１について説明する。以下においては、実施形態に対する相違点について主として説明する。
【００９４】
実施形態では、制御部１３は、無線端末１０の移動状態が第１状態であると判定され、所定期間に亘って第１切替処理を行う条件が満たされた場合に、第１切替処理を実行する。制御部１３は、無線端末１０の移動状態が第１状態とは異なる第２状態であると判定され、かつ、無線ＬＡＮを構成するアクセスポイント２００が移動アクセスポイントである場合に、所定期間に亘って第１切替処理を行う条件が満たされた場合に、第１切替処理を実行する。
【００９５】
これに対して、変更例１では、制御部１３は、無線端末１０の移動状態が第１状態であると判定され、第１期間に亘って第１切替処理を行う条件が満たされた場合に、第１切替処理を実行する。制御部１３は、無線端末１０の移動状態が第１状態とは異なる第２状態であると判定され、第１期間よりも長い第２期間に亘って第１切替処理を行う条件が満たされた場合に、第１切替処理を実行する。
【００９６】
すなわち、変更例１においては、制御部１３は、無線ＬＡＮを構成するアクセスポイント２００が移動アクセスポイントであるか否かを判定しなくてもよい。従って、アクセスポイント２００が固定アクセスポイントであるか移動アクセスポイントであるかを示す種別情報（ＷＬＡＮ  Ｔｙｐｅ）が無線端末１０に通知される必要もない。また、第２期間は、第１期間のＮ（Ｎは１よりも大きい整数）倍であり、Ｎを示す値は、移動通信網から通知されてもよい。或いは、第２期間を示す値（例えば、期間を示す直値又は期間に対応する識別子）は、移動通信網から通知されてもよい。これらのケースにおいて、Ｎを示す値又は第２期間を示す値は、ＲＲＣメッセージ（例えば、ＲＲＣ  Ｃｏｎｎｅｃｔｉｏｎ  Ｒｅｃｏｎｆｉｇｕｒａｔｉｏｎ）に含まれてもよく、ＳＩＢ（例えば、ＷＬＡＮ−ＯｆｆｌｏａｄＣｏｎｆｉｇ−ｒ１２）に含まれてもよい。或いは、第２期間は、移動通信網で予め定められていてもよい。
【００９７】
変更例１において、第１期間及び第２期間は、例えば、第１実施形態で触れた所定期間（ＴｓｔｅｅｒｉｎｇＷＬＡＮ）の一種である。第１期間は、第１実施形態で触れた所定期間（ＴｓｔｅｅｒｉｎｇＷＬＡＮ）と同じ値であってもよい。
【００９８】
（通信方法）
以下において、変更例１に係る通信方法について説明する。図７は、変更例１に係る通信方法を示すフロー図である。図７に示すフローは、無線端末１０によって実行される。ここでは、切替処理が第１切替処理であるケースについて説明する。
【００９９】
図７に示すように、ステップＳ２０において、無線端末１０は、無線端末１０の移動状態が第１状態であるか否かを判定する。判定結果がＹＥＳである場合には、ステップＳ２１の処理が行われる。判定結果がＮＯである場合には、ステップＳ２２の処理が行われる。言い換えると、無線端末１０の移動状態が第２状態であると判定された場合には、ステップＳ２２の処理が行われる。
【０１００】
ステップＳ２１において、無線端末１０は、第１期間に亘って第１切替処理を行う条件が満たされているか否かを判定する。判定結果がＹＥＳである場合には、ステップＳ２３の処理が行われる。判定結果がＮＯである場合には、一連の処理を終了する（すなわち、第１切替処理は行われない）。
【０１０１】
ステップＳ２２において、無線端末１０は、第２期間に亘って第１切替処理を行う条件が満たされているか否かを判定する。判定結果がＹＥＳである場合には、ステップＳ２３の処理が行われる。判定結果がＮＯである場合には、一連の処理を終了する（すなわち、第１切替処理は行われない）。
【０１０２】
ステップＳ２３において、無線端末１０は、移動通信網から無線ＬＡＮに待ち受け先又は接続先を切り替える第１切替処理を行う。
【０１０３】
（作用及び効果）
変更例１によれば、無線端末１０の制御部１３は、無線端末１０の移動状態が第２状態であっても、第２期間に亘って第１切替処理を行う条件が満たされた場合に、第１切替処理を実行する。従って、第２状態において、移動通信網から無線ＬＡＮに第１切替処理が一律に禁止されず、移動アクセスポイントを有効に利用することができる。また、第２期間が第１期間よりも長いため、移動アクセスポイントが設置された移動体と同様の移動を無線端末１０が偶発的に行っているケースにおいて、第１切替処理が誤って行われる可能性を軽減することができる。このようなケースは、例えば、移動アクセスポイントが設置された乗り物に無線端末１０を所持するユーザが乗車していないケースなどである。
【０１０４】
［変更例２］
以下において、実施形態の変更例２について説明する。以下においては、実施形態に対する相違点について主として説明する。
【０１０５】
実施形態では、制御部１３は、無線端末１０の移動状態が第１状態であると判定され、所定期間に亘って第１切替処理を行う条件が満たされた場合に、第１切替処理を実行する。制御部１３は、無線端末１０の移動状態が第１状態とは異なる第２状態であると判定され、かつ、無線ＬＡＮを構成するアクセスポイント２００が移動アクセスポイントである場合に、所定期間に亘って第１切替処理を行う条件が満たされた場合に、第１切替処理を実行する。
【０１０６】
これに対して、変更例２では、制御部１３は、無線ＬＡＮを構成するアクセスポイント２００が固定アクセスポイントであり、第１期間に亘って第１切替処理を行う条件が満たされた場合に、第１切替処理を実行する。制御部１３は、無線ＬＡＮを構成するアクセスポイント２００が移動アクセスポイントであり、第１期間よりも長い第２期間に亘って第１切替処理を行う条件が満たされた場合に、第１切替処理を実行する。
【０１０７】
すなわち、変更例２においては、制御部１３は、無線端末１０の移動状態を判定しなくてもよい。また、第２期間は、第１期間のＮ（Ｎは１よりも大きい整数）倍であり、Ｎを示す値は、移動通信網から通知されてもよい。或いは、第２期間を示す値（例えば、期間を示す直値又は期間に対応する識別子）は、移動通信網から通知されてもよい。これらのケースにおいて、Ｎを示す値又は第２期間を示す値は、ＲＲＣメッセージ（例えば、ＲＲＣ  Ｃｏｎｎｅｃｔｉｏｎ  Ｒｅｃｏｎｆｉｇｕｒａｔｉｏｎ）に含まれてもよく、ＳＩＢ（例えば、ＷＬＡＮ−ＯｆｆｌｏａｄＣｏｎｆｉｇ−ｒ１２）に含まれてもよい。或いは、第２期間は、移動通信網で予め定められていてもよい。
【０１０８】
変更例２において、第１期間及び第２期間は、例えば、第１実施形態で触れた所定期間（ＴｓｔｅｅｒｉｎｇＷＬＡＮ）の一種である。第１期間は、第１実施形態で触れた所定期間（ＴｓｔｅｅｒｉｎｇＷＬＡＮ）と同じ値であってもよい。
【０１０９】
（通信方法）
以下において、変更例２に係る通信方法について説明する。図８は、変更例２に係る通信方法を示すフロー図である。図８に示すフローは、無線端末１０によって実行される。ここでは、切替処理が第１切替処理であるケースについて説明する。
【０１１０】
図８に示すように、ステップＳ３０において、無線端末１０は、無線ＬＡＮを構成するアクセスポイント２００が固定アクセスポイントであるか否かを判定する。判定結果がＹＥＳである場合には、ステップＳ３１の処理が行われる。判定結果がＮＯである場合には、ステップＳ３２の処理が行われる。言い換えると、無線ＬＡＮを構成するアクセスポイント２００が移動アクセスポイントである場合には、ステップＳ３２の処理が行われる。
【０１１１】
ステップＳ３１において、無線端末１０は、第１期間に亘って第１切替処理を行う条件が満たされているか否かを判定する。判定結果がＹＥＳである場合には、ステップＳ３３の処理が行われる。判定結果がＮＯである場合には、一連の処理を終了する（すなわち、第１切替処理は行われない）。
【０１１２】
ステップＳ３２において、無線端末１０は、第２期間に亘って第１切替処理を行う条件が満たされているか否かを判定する。判定結果がＹＥＳである場合には、ステップＳ３３の処理が行われる。判定結果がＮＯである場合には、一連の処理を終了する（すなわち、第１切替処理は行われない）。
【０１１３】
ステップＳ３３において、無線端末１０は、移動通信網から無線ＬＡＮに待ち受け先又は接続先を切り替える第１切替処理を行う。
【０１１４】
（作用及び効果）
変更例２によれば、無線端末１０の制御部１３は、無線ＬＡＮを構成するアクセスポイント２００が移動アクセスポイントであり、第２期間に亘って第１切替処理を行う条件が満たされた場合に、第１切替処理を実行する。従って、移動アクセスポイントを有効に利用することが可能である。また、第２期間が第１期間よりも長いため、移動アクセスポイントが設置された移動体と同様の移動を無線端末が偶発的に行っているケースにおいて、第１切替処理が誤って行われる可能性を軽減することができる。このようなケースは、例えば、移動アクセスポイントが設置された乗り物に無線端末を所持するユーザが乗車していないケースに加えて、移動アクセスポイントが設置された乗り物が一時的に停止しているケースなどなどである。
【０１１５】
［変更例３］
以下において、実施形態の変更例３について説明する。以下においては、変更例１に対する相違点について主として説明する。
【０１１６】
変更例１では、制御部１３は、無線ＬＡＮを構成するアクセスポイント２００が移動アクセスポイントであるか否かを判定しない。これに対して、変更例３では、制御部１３は、無線ＬＡＮを構成するアクセスポイント２００が移動アクセスポイントであるか否かを判定する。
【０１１７】
具体的には、変更例３では、制御部１３は、無線ＬＡＮを構成するアクセスポイント２００が固定アクセスポイントであるときに、無線端末１０の移動状態が第１状態であると判定され、第１期間に亘って第１切替処理を行う条件が満たされた場合に、第１切替処理を実行する。制御部１３は、無線ＬＡＮを構成するアクセスポイント２００が移動アクセスポイントであるときに、無線端末の移動状態が第２状態であると判定され、第２期間に亘って第１切替処理を行う条件が満たされた場合に、第１切替処理を実行する。
【０１１８】
さらに、制御部１３は、無線ＬＡＮを構成するアクセスポイント２００が固定アクセスポイントであるときに、無線端末１０の移動状態が第２状態であると判定された場合に、第１切替処理の実行を禁止する。
【０１１９】
（通信方法）
以下において、変更例３に係る通信方法について説明する。図９は、変更例３に係る通信方法を示すフロー図である。図９に示すフローは、無線端末１０によって実行される。ここでは、切替処理が第１切替処理であるケースについて説明する。
【０１２０】
図９に示すように、ステップＳ４０において、無線端末１０は、無線ＬＡＮを構成するアクセスポイント２００が固定アクセスポイントであるか否かを判定する。判定結果がＹＥＳである場合には、ステップＳ４１の処理が行われる。判定結果がＮＯである場合には、ステップＳ４３の処理が行われる。言い換えると、無線ＬＡＮを構成するアクセスポイント２００が移動アクセスポイントである場合には、ステップＳ４３の処理が行われる。
【０１２１】
ステップＳ４１において、無線端末１０は、無線端末１０の移動状態が第１状態であるか否かを判定する。判定結果がＹＥＳである場合には、ステップＳ４２の処理が行われる。判定結果がＮＯである場合には、一連の処理を終了する（すなわち、第１切替処理は行われない）。言い換えると、無線端末１０は、無線ＬＡＮを構成するアクセスポイント２００が固定アクセスポイントであるときに、無線端末１０の移動状態が第２状態であると判定された場合には、第１切替処理を禁止する。
【０１２２】
ステップＳ４２において、無線端末１０は、第１期間に亘って第１切替処理を行う条件が満たされているか否かを判定する。判定結果がＹＥＳである場合には、ステップＳ４４の処理が行われる。判定結果がＮＯである場合には、一連の処理を終了する（すなわち、第１切替処理は行われない）。
【０１２３】
ステップＳ４３において、無線端末１０は、第２期間に亘って第１切替処理を行う条件が満たされているか否かを判定する。判定結果がＹＥＳである場合には、ステップＳ４４の処理が行われる。判定結果がＮＯである場合には、一連の処理を終了する（すなわち、第１切替処理は行われない）。
【０１２４】
ステップＳ４４において、無線端末１０は、移動通信網から無線ＬＡＮに待ち受け先又は接続先を切り替える第１切替処理を行う。
【０１２５】
なお、変更例３においては、無線端末１０は、無線ＬＡＮを構成するアクセスポイント２００が移動アクセスポイントである場合には、無線端末１０の移動状態に依存せずに、第２期間に亘って第１切替処理を行う条件が満たされているか否かに応じて、第１切替処理を行うか否かを判定していることに留意すべきである。
【０１２６】
（作用及び効果）
変更例３によれば、無線端末１０の制御部１３は、無線端末１０は、無線ＬＡＮを構成するアクセスポイント２００が固定アクセスポイントであるときに、無線端末１０の移動状態が第２状態であると判定された場合に、第１切替処理を禁止する。従って、移動アクセスポイントを有効に利用しながらも、移動通信網から無線ＬＡＮに対する第１切替処理が行われた後に無線ＬＡＮから移動通信網に対する第２切替処理が直ちに実行される事態が抑制される。
【０１２７】
［変更例４］
以下において、実施形態の変更例４について説明する。以下においては、変更例２に対する相違点について主として説明する。
【０１２８】
変更例２では、制御部１３は、無線端末１０の移動状態を判定しない。これに対して、変更例４では、制御部１３は、無線端末１０の移動状態を判定する。
【０１２９】
具体的には、変更例３では、制御部１３は、無線端末１０の移動状態が第１状態であると判定されたときに、無線ＬＡＮを構成するアクセスポイント２００が固定アクセスポイントであり、第１期間に亘って第１切替処理を行う条件が満たされた場合に、第１切替処理を実行する。制御部１３は、無線端末１０の移動状態が第１状態とは異なる第２状態であると判定されたときに、無線ＬＡＮを構成するアクセスポイント２００が移動アクセスポイントであり、第２期間に亘って第１切替処理を行う条件が満たされた場合に、第１切替処理を実行する。
【０１３０】
さらに、制御部１３は、無線端末１０の移動状態が第２状態であると判定されたときに、無線ＬＡＮを構成するアクセスポイント２００が固定アクセスポイントである場合に、第１切替処理の実行を禁止する。
【０１３１】
（通信方法）
以下において、変更例４に係る通信方法について説明する。図１０は、変更例４に係る通信方法を示すフロー図である。図１０に示すフローは、無線端末１０によって実行される。ここでは、切替処理が第１切替処理であるケースについて説明する。
【０１３２】
図１０に示すように、ステップＳ５０において、無線端末１０は、無線端末１０の移動状態が第１状態であるか否かを判定する。判定結果がＹＥＳである場合には、ステップＳ５１の処理が行われる。判定結果がＮＯである場合には、ステップＳ５２の処理が行われる。言い換えると、無線端末１０の移動状態が第２状態であると判定された場合に、ステップＳ５２の処理が行われる。
【０１３３】
ステップＳ５１において、無線端末１０は、無線ＬＡＮを構成するアクセスポイント２００が固定アクセスポイントであるか否かを判定する。判定結果がＹＥＳである場合には、ステップＳ５３の処理が行われる。判定結果がＮＯである場合には、ステップＳ５４の処理が行われる。言い換えると、無線ＬＡＮを構成するアクセスポイント２００が移動アクセスポイントである場合には、ステップＳ５４の処理が行われる。
【０１３４】
ステップＳ５２において、無線端末１０は、無線ＬＡＮを構成するアクセスポイント２００が移動アクセスポイントであるか否かを判定する。判定結果がＹＥＳである場合には、ステップＳ５４の処理が行われる。判定結果がＮＯである場合には、一連の処理が終了する（すなわち、第１切替処理は行われない）。言い換えると、無線端末１０は、無線端末１０の移動状態が第２状態であると判定されたときに、無線ＬＡＮを構成するアクセスポイント２００が固定アクセスポイントである場合に、第１切替処理の実行を禁止する。
【０１３５】
ステップＳ５３において、無線端末１０は、第１期間に亘って第１切替処理を行う条件が満たされているか否かを判定する。判定結果がＹＥＳである場合には、ステップＳ５５の処理が行われる。判定結果がＮＯである場合には、一連の処理を終了する（すなわち、第１切替処理は行われない）。
【０１３６】
ステップＳ５４において、無線端末１０は、第２期間に亘って第１切替処理を行う条件が満たされているか否かを判定する。判定結果がＹＥＳである場合には、ステップＳ５５の処理が行われる。判定結果がＮＯである場合には、一連の処理を終了する（すなわち、第１切替処理は行われない）。
【０１３７】
ステップＳ５５において、無線端末１０は、移動通信網から無線ＬＡＮに待ち受け先又は接続先を切り替える第１切替処理を行う。
【０１３８】
なお、変更例４においては、無線端末１０は、無線ＬＡＮを構成するアクセスポイント２００が移動アクセスポイントである場合には、無線端末１０の移動状態に依存せずに、第２期間に亘って第１切替処理を行う条件が満たされているか否かに応じて、第１切替処理を行うか否かを判定していることに留意すべきである。
【０１３９】
（作用及び効果）
変更例４によれば、無線端末１０の制御部１３は、無線端末１０の移動状態が第２状態であると判定されたときに、無線ＬＡＮを構成するアクセスポイント２００が固定アクセスポイントである場合に、第１切替処理の実行を禁止する。従って、移動アクセスポイントを有効に利用しながらも、移動通信網から無線ＬＡＮに対する第１切替処理が行われた後に無線ＬＡＮから移動通信網に対する第２切替処理が直ちに実行される事態が抑制される。
【０１４０】
［変更例５］
以下において、実施形態の変更例５について説明する。以下においては、第１実施形態及び変更例２に対する相違点について主として説明する。
【０１４１】
具体的には、第１実施形態では、切替処理が第１切替処理であるケースについて主として説明する。また、変更例２では、制御部１３は、無線ＬＡＮを構成するアクセスポイント２００が固定アクセスポイントであり、第１期間に亘って第１切替処理を行う条件が満たされた場合に、第１切替処理を実行する。制御部１３は、無線ＬＡＮを構成するアクセスポイント２００が移動アクセスポイントであり、第１期間よりも長い第２期間に亘って第１切替処理を行う条件が満たされた場合に、第１切替処理を実行する。
【０１４２】
これに対して、変更例５では、切替処理が第２切替処理であるケースについて主として説明する。制御部１３は、無線ＬＡＮを構成するアクセスポイント２００が固定アクセスポイントであり、第３期間に亘って第２切替処理を行う条件が満たされた場合に、第２切替処理を実行する。制御部１３は、無線ＬＡＮを構成するアクセスポイント２００が移動アクセスポイントであり、第３期間よりも長い第４期間に亘って第２切替処理を行う条件が満たされた場合に、第２切替処理を実行する。
【０１４３】
ここで、第４期間は、第３期間のＮ（Ｎは１よりも大きい整数）倍であり、Ｎを示す値は、移動通信網から通知されてもよい。或いは、第４期間を示す値（例えば、期間を示す直値又は期間に対応する識別子）は、移動通信網から通知されてもよい。これらのケースにおいて、Ｎを示す値又は第４期間を示す値は、ＲＲＣメッセージ（例えば、ＲＲＣ  Ｃｏｎｎｅｃｔｉｏｎ  Ｒｅｃｏｎｆｉｇｕｒａｔｉｏｎ）に含まれてもよく、ＳＩＢ（例えば、ＷＬＡＮ−ＯｆｆｌｏａｄＣｏｎｆｉｇ−ｒ１２）に含まれてもよい。或いは、第４期間は、移動通信網で予め定められていてもよい。
【０１４４】
変更例５において、第２切替処理で参照される第３期間及び第４期間は、第１切替処理で参照される第１期間及び第２期間とは別に定義される所定期間（ＴｓｔｅｅｒｉｎｇＥＵＴＴＲＡ）である。なお、第１期間及び第２期間は、上述したように、第１実施形態で触れた所定期間（ＴｓｔｅｅｒｉｎｇＷＬＡＮ）の一種である。上述したように、所定期間（ＴｓｔｅｅｒｉｎｇＷＬＡＮ）としては、最大で７秒の値が設定可能である。一方で、所定期間（ＴｓｔｅｅｒｉｎｇＥＵＴＴＲＡ）としては、７秒以上の値が設定可能であってもよい。
【０１４５】
（通信方法）
以下において、変更例５に係る通信方法について説明する。図１１は、変更例５に係る通信方法を示すフロー図である。図１１に示すフローは、無線端末１０によって実行される。ここでは、切替処理が第２切替処理であるケースについて説明する。
【０１４６】
図１１に示すように、ステップＳ６０において、無線端末１０は、無線ＬＡＮを構成するアクセスポイント２００が固定アクセスポイントであるか否かを判定する。判定結果がＹＥＳである場合には、ステップＳ６１の処理が行われる。判定結果がＮＯである場合には、ステップＳ６２の処理が行われる。言い換えると、無線ＬＡＮを構成するアクセスポイント２００が移動アクセスポイントである場合には、ステップＳ６２の処理が行われる。
【０１４７】
ステップＳ６１において、無線端末１０は、第３期間に亘って第２切替処理を行う条件が満たされているか否かを判定する。判定結果がＹＥＳである場合には、ステップＳ６３の処理が行われる。判定結果がＮＯである場合には、一連の処理を終了する（すなわち、第２切替処理は行われない）。
【０１４８】
ステップＳ６２において、無線端末１０は、第４期間に亘って第２切替処理を行う条件が満たされているか否かを判定する。判定結果がＹＥＳである場合には、ステップＳ６３の処理が行われる。判定結果がＮＯである場合には、一連の処理を終了する（すなわち、第２切替処理は行われない）。
【０１４９】
ステップＳ６３において、無線端末１０は、移動通信網から無線ＬＡＮに待ち受け先又は接続先を切り替える第２切替処理を行う。
【０１５０】
なお、変更例５では、上述した実施形態のように、無線端末１０の移動状態が第２状態である場合に、無線端末１０が移動アクセスポイントに接続されるという前提で、「無線ＬＡＮを構成するアクセスポイント２００が移動アクセスポイントである」という条件は、「無線端末１０の移動状態が第２状態である」という条件と同様の意味を持つことに留意すべきである。
【０１５１】
従って、変更例５において、制御部１３は、無線端末１０の移動状態が第２状態であるときに、第３期間よりも長い第４期間に亘って第２切替処理を行う条件が満たされた場合に、第２切替処理を実行してもよい。このようなケースにおいては、無線ＬＡＮを構成するアクセスポイント２００を判定する必要がないことは勿論である。
【０１５２】
（作用及び効果）
変更例５によれば、無線端末１０の制御部１３は、無線ＬＡＮを構成するアクセスポイント２００が移動アクセスポイントであり、第３期間よりも長い第４期間に亘って第２切替処理を行う条件が満たされた場合に、第２切替処理を実行する。すなわち、第４期間が第３期間よりも長いため、移動アクセスポイントが設置された乗り物が一時的に停止するケースにおいて、乗り物の一時停止に伴って無線ＬＡＮから移動通信網への第２切替処理が実行された直後に、乗り物の発車に伴って移動通信網から無線ＬＡＮへの第１切替処理が実行される事態が抑制される。すなわち、不要な第２切替処理の抑制によって、移動アクセスポイントを有効に利用することが可能である。
【０１５３】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１５４】
実施形態では、無線端末１０の移動状態として、２種類の移動状態（第１状態及び第２状態）を例示した。しかしながら、無線端末１０の移動状態は、３種類以上であってもよい。このようなケースにおいて、所定期間（ＴｓｔｅｅｒｉｎｇＷＬＡＮ）或いは所定期間（ＴｓｔｅｅｒｉｎｇＥＵＴＴＲＡ）は、無線端末１０の移動状態毎に定められてもよい。無線端末１０の移動速度が速いほど、所定期間（ＴｓｔｅｅｒｉｎｇＷＬＡＮ）或いは所定期間（ＴｓｔｅｅｒｉｎｇＥＵＴＴＲＡ）として大きな値が設定されることが好ましい。例えば、移動速度が遅い順に、無線端末１０の移動状態が第１状態、第２状態及び第３状態を含む場合に、第１状態で参照される所定期間（ＴｓｔｅｅｒｉｎｇＷＬＡＮ）或いは所定期間（ＴｓｔｅｅｒｉｎｇＥＵＴＴＲＡ）は、基準期間のＮ１（Ｎ１は１以上の整数）倍であり、第２状態で参照される所定期間（ＴｓｔｅｅｒｉｎｇＷＬＡＮ）或いは所定期間（ＴｓｔｅｅｒｉｎｇＥＵＴＴＲＡ）は、基準期間のＮ２（Ｎ２はＮ１よりも大きい整数）倍であり、第３状態で参照される所定期間（ＴｓｔｅｅｒｉｎｇＷＬＡＮ）或いは所定期間（ＴｓｔｅｅｒｉｎｇＥＵＴＴＲＡ）は、基準期間のＮ３（Ｎ３はＮ２よりも大きい整数）倍であってもよい。
【０１５５】
第２切替処理で参照される所定期間（ＴｓｔｅｅｒｉｎｇＥＵＴＴＲＡ）は、第１切替処理で参照される所定期間（ＴｓｔｅｅｒｉｎｇＷＬＡＮ）のＮ（Ｎは１よりも大きい整数）倍であり、Ｎを示す値は、移動通信網から通知されてもよい。
【０１５６】
実施形態では、所定期間に亘って条件が満たされるケースについて説明したが、このようなケースにおいて、所定期間中に条件を満たさない状態が一時的に存在したとしても、所定期間の全体に亘って条件を満たすと判断してもよい。
【０１５７】
無線端末１０及び無線基地局１００が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１５８】
或いは、無線端末１０及び無線基地局１００が行う各処理を実行するためのプログラムを記憶するメモリ及びメモリに記憶されたプログラムを実行するプロセッサによって構成されるチップが提供されてもよい。
【０１５９】
実施形態では、移動通信網としてＬＴＥを例示した。しかしながら、実施形態はこれに限定されるものではない。移動通信網は、通信キャリアによって提供されるネットワークであればよい。従って、移動通信網は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）であってもよく、ＧＳＭ（(登録商標)ｇｌｏｂａｌ  ｓｙｓｔｅｍ  ｆｏｒ  ｍｏｂｉｌｅ  ｃｏｍｍｕｎｉｃａｔｉｏｎｓ）であってもよい。
【０１６０】
[相互参照]
日本国出願第２０１４-２３２１０７号（２０１４年１１月１４日出願）の全内容が、参照により本願明細書に組み込まれている。
【産業上の利用可能性】
【０１６１】
本発明は、通信分野において有用である。
【図１】
2020162177.tif 000003
【図２】
2020162177.tif 000004
【図３】
2020162177.tif 000005
【図４】
2020162177.tif 000006
【図５】
2020162177.tif 000007
【図６】
2020162177.tif 000008
【図７】
2020162177.tif 000009
【図８】
2020162177.tif 000010
【図９】
2020162177.tif 000011
【図１０】
2020162177.tif 000012
【図１１】
2020162177.tif 000013